(57)【要約】【課題】コネクタハウジングに挿入された端子金具を比較的簡単な構造で支持することが可能なコネクタを提供する。【解決手段】コネクタハウジング１０は、撓み可能なランス２３が突出する端子挿入部１５と、端子挿入部１５に連通して端子金具７０の挿入方向と交差する方向で対向する一面に開口したリテーナ装着孔２６とを有している。リテーナ装着孔２６には、リテーナ４０が挿入される。リテーナ４０は、リテーナ装着孔２６に正規深さで挿入された状態で、ランス２３の撓み空間５８に進入してランス２３の撓み動作を規制する撓み規制部４４と、端子金具７０に当接可能に位置して端子金具７０を支持することが可能な支持部４３とを有している。【選択図】図５
2018120687.tif 000002
【特許請求の範囲】
【請求項１】
端子金具が挿入される端子挿入部と、前記端子挿入部に撓み可能に突出して前記端子金具を抜け止め係止するランスと、前記端子挿入部に連通して前記端子金具の挿入方向と交差する方向で対向する一面に開口したリテーナ装着孔とを有するコネクタハウジングと、
前記コネクタハウジングの前記一面開口から前記リテーナ装着孔に挿入されるリテーナとを備え、
前記リテーナは、前記リテーナ装着孔に正規深さで挿入された状態で、前記ランスの撓み空間に進入して前記ランスの撓み動作を規制する撓み規制部と、前記端子金具に当接可能に位置して前記端子金具を支持することが可能な支持部とを有していることを特徴とするコネクタ。
【請求項２】
前記支持部は、前記撓み規制部の両側に対をなして配置され、前記端子金具を両側から支持することを可能とされている請求項１記載のコネクタ。
【請求項３】
前記リテーナは、前記コネクタハウジングに対して前記リテーナ装着孔に浅く挿入される仮係止位置と前記リテーナ装着孔に正規深さで挿入される本係止位置とに移動可能とされ、
前記対をなす支持部は、前記撓み規制部よりも一段高い位置に支持面を有するとともに、前記撓み規制部の位置する側から前記支持面にかけて切り立つ壁面を有し、前記対をなす支持部の前記壁面間に前記仮係止位置にて前記ランスの撓み動作を許容する撓み空間が確保され、前記壁面によってランスの撓み動作がガイドされる請求項１又は２記載のコネクタ。
【請求項４】
前記端子金具は、外面に溝部を有し、前記リテーナが前記リテーナ装着孔に正規深さで挿入されたときに、前記支持部が前記溝部に嵌合し、前記端子金具の挿入方向への位置ずれが規制される請求項１ないし３のいずれか１項記載のコネクタ。
【請求項５】
前記コネクタハウジングは、前記端子金具よりも小型の小型端子が挿入されるキャビティを有し、前記リテーナ装着孔は、前記キャビティにも連通し、前記リテーナは、前記リテーナ装着孔に正規深さで挿入された状態で、前記小型端子を抜け止め係止する抜け止め部を有している請求項１ないし４のいずれか１項記載のコネクタ。
【発明の詳細な説明】
【技術分野】
【０００１】
本発明は、コネクタに関する。
【背景技術】
【０００２】
特許文献１には、同軸コネクタ（同軸ケーブル用の端子であって、以下、端子と称する）を挿入可能なコネクタ収容室と、コネクタ収容室に突出する撓み可能なランスとを有するコネクタハウジングが開示されている。端子は、コネクタ収容室に収容された状態でランスにより弾性的に係止され、一次的に抜け止めされる。また、コネクタハウジングには、コネクタ収容室に交差連通して側面に開口するリテーナ装着口が設けられている。リテーナ装着口にはリテーナの基部が挿入され、挿入された基部がリテーナ装着口の空間内においてランスの外側に配置される。これにより、ランスの撓み動作が規制され、端子が二次的に抜け止めされるようになっている。
【先行技術文献】
【特許文献】
【０００３】
【特許文献１】特開２００３−２９７４９３号公報（第９図）
【発明の概要】
【発明が解決しようとする課題】
【０００４】
上記の端子は、前側に比較的大型の本体筒部を有しているが、側方に突出するスタビライザがコネクタハウジングのガイド溝に挿入されて支持されることにより、本体筒部がランス側に倒れ込むのが規制されるようになっている。しかるにこの場合、本体筒部の倒れ込みを規制するべく、コネクタ収容室の内壁にガイド溝が凹設され、また、リテーナにもスタビライザの通過を許容する干渉回避溝が凹設されるため、構造が複雑になるという問題がある。
【０００５】
本発明は上記のような事情に基づいて完成されたものであって、コネクタハウジングに挿入された端子金具を比較的簡単な構造で支持することが可能なコネクタを提供することを目的とする。
【課題を解決するための手段】
【０００６】
本発明は、端子金具が挿入される端子挿入部と、前記端子挿入部に撓み可能に突出して前記端子金具を抜け止め係止するランスと、前記端子挿入部に連通して前記端子金具の挿入方向と交差する方向で対向する一面に開口したリテーナ装着孔とを有するコネクタハウジングと、前記コネクタハウジングの前記一面開口から前記リテーナ装着孔に挿入されるリテーナとを備え、前記リテーナは、前記リテーナ装着孔に正規深さで挿入された状態で、前記ランスの撓み空間に進入して前記ランスの撓み動作を規制する撓み規制部と、前記端子金具に当接可能に位置して前記端子金具を支持することが可能な支持部とを有しているところに特徴を有する。
【発明の効果】
【０００７】
リテーナがコネクタハウジングの一面開口からリテーナ装着孔に正規深さで挿入されることにより、撓み規制部がランスの撓み空間に進入して、ランスの撓み動作が規制され、端子金具が二次的に抜け止めされる。また、リテーナがリテーナ装着孔に正規深さで挿入されることにより、支持部が端子金具に当接可能に位置して端子金具を支持し、端子金具がランス側に倒れ込むのが規制される。この場合に、支持部はリテーナの組み付けに連動して端子金具を支持可能な位置に至ることができるため、コネクタハウジングに特別な構造が必要とされず、全体の構造が複雑にならずに済む。
【図面の簡単な説明】
【０００８】
【図１】本発明の実施例１に係るコネクタにおいて、リテーナがコネクタハウジングに対して仮係止位置に保持された状態を示す側面図である。
【図２】リテーナがコネクタハウジングに対して本係止位置に保持された状態を示す側面図である。
【図３】リテーナがコネクタハウジングに対して仮係止位置に保持されたときに、リテーナの撓み規制部と対応する位置で切断した断面図である。
【図４】リテーナがコネクタハウジングに対して本係止位置に保持されたときに、リテーナの撓み規制部と対応する位置で切断した断面図である。
【図５】リテーナがコネクタハウジングに対して本係止位置に保持されたときに、リテーナの支持部と対応する位置で切断した断面図である。
【図６】リテーナがコネクタハウジングに対して本係止位置に保持されたときに、リテーナの抜け止め部と対応する位置で切断した断面図である。
【図７】コネクタハウジングの斜視図である。
【図８】コネクタハウジングの側面図である。
【図９】コネクタハウジングの正面図である。
【図１０】コネクタハウジングの底面図である。
【図１１】端子金具の側面図である。
【図１２】リテーナの斜視図である。
【図１３】リテーナの正面図である。
【図１４】リテーナの平面図である。
【図１５】相手側のリテーナの斜視図である。
【発明を実施するための形態】
【０００９】
本発明の好ましい実施形態を以下に示す。  
前記支持部は、前記撓み規制部の両側に対をなして配置され、前記端子金具を両側から支持することを可能とされているとよい。これによれば、端子金具が対をなす支持部によって両側から安定して支持される。
【００１０】
前記リテーナは、前記コネクタハウジングに対して前記リテーナ装着孔に浅く挿入される仮係止位置と前記リテーナ装着孔に正規深さで挿入される本係止位置とに移動可能とされ、前記対をなす支持部は、前記撓み規制部よりも一段高い位置に支持面を有するとともに、前記撓み規制部の位置する側から前記支持面にかけて切り立つ壁面を有し、前記対をなす支持部の前記壁面間に前記仮係止位置にて前記ランスの撓み動作を許容する撓み空間が確保され、前記壁面によってランスの撓み動作がガイドされるとよい。これによれば、ランスの撓み動作が支持部によりガイドされ、端子金具がランスに適正に抜け止め係止される。また、専用のランスガイド構造が不要となり、構造を簡単にすることができる。
【００１１】
前記端子金具は、外面に溝部を有し、前記リテーナが前記リテーナ装着孔に正規深さで挿入されたときに、前記支持部が前記溝部に嵌合し、前記端子金具の挿入方向への位置ずれが規制されるとよい。これによれば、端子金具が支持部によって端子挿入部にいっそう安定して保持される。
【００１２】
前記コネクタハウジングは、前記端子金具よりも小型の小型端子が挿入されるキャビティを有し、前記リテーナ装着孔は、前記キャビティにも連通し、前記リテーナは、前記リテーナ装着孔に正規深さで挿入された状態で、前記小型端子を抜け止め係止する抜け止め部を有しているとよい。これによれば、端子金具と小型の端子とが共通のリテーナによって抜け止めされる。その結果、端子金具と小型の端子のそれぞれに対応したリテーナを個別に設ける必要がなく、構造をよりいっそう簡単にすることができる。
【００１３】
＜実施例１＞
以下、実施例１を図面に基づいて説明する。本実施例１に係るコネクタは、コネクタハウジング１０、リテーナ４０、端子金具７０及び小型端子９０を備えて構成される。コネクタハウジング１０は図示しない相手側のコネクタハウジングに嵌合可能とされる。なお、以下の説明において、前後方向については、コネクタハウジング１０が嵌合開始時に相手側のコネクタハウジングと向き合う面側を前側とし、上下方向は、図１０及び図１４を除く各図を基準とする。
【００１４】
コネクタハウジング１０は合成樹脂製であって、図７〜図９に示すように、角ブロック状のハウジング本体１１を有している、ハウジング本体１１の上面の左右中央部には、後方へ片持ち状に突出する撓み可能なロックアーム１２が設けられている。ロックアーム１２は、コネクタハウジング１０が相手側のコネクタハウジングに嵌合されたときに、図示しない相手側のコネクタハウジングのロック受部に弾性的に係止され、両コネクタハウジングを嵌合状態に保持する役割をはたす。ロックアーム１２の後端部には、両コネクタハウジングの離脱時に押圧される解除操作部１３が一段高く設けられている。
【００１５】
また、ハウジング本体１１の上面には、ロックアーム１２の左右両側を覆うようにして一対の保護壁１４が立設されている。両保護壁１４の上端間には、解除操作部１３の上方を横切るアーチ部３４が架設され、解除操作部１３への不用意な解除操作がアーチ部３４によって阻止されるようにしてある。図３に示すように、両保護壁１４の後部は、ハウジング本体１１の後面よりも後方に突出しており、両保護壁１４の後部下端間には底壁３５が架設されている。両保護壁１４間で且つ底壁３５の上方空間には、後方から図示しない嵌合検知部材がスライド挿入される。
【００１６】
図７及び図９に示すように、ハウジング本体１１は、略中心部（上下方向及び左右方向の中央部）に前後方向に貫通する一つの端子挿入部１５を有し、端子挿入部１５の左右両側に複数のキャビティ１６を有している。各キャビティ１６は、上下方向に複数段（本実施例１の場合は３段）で且つ左右方向に複数列となるように整列して配置される。
【００１７】
各キャビティ１６の内壁下面には、図６に示すように、前方へ片持ち状に突出する撓み可能な小型ランス１７が設けられている。各キャビティ１６には、後方から小型端子９０が挿入され、挿入された小型端子９０は、小型ランス１７によって弾性的に係止されて一次的に抜け止めされる。なお、小型端子９０は通常電線１００（非シールド電線）の端末部に接続されている。
【００１８】
図９に示すように、ハウジング本体１１の左右中央部における端子挿入部１５の外周には、嵌合空間部１８が前方に開口して設けられている。嵌合空間部１８には、両コネクタハウジングの嵌合時に、図示しない相手コネクタハウジングに設けられた筒体が嵌合挿入されるようになっている。
【００１９】
ハウジング本体１１は、嵌合空間部１８の奥面を閉塞する内閉部１９を有している。嵌合空間部１８の内部には、内閉部１９から前方に突出する嵌合筒部２１が設けられている。嵌合筒部２１は、上記筒体に内嵌される部分となる。また、端子挿入部１５の前部側は、嵌合筒部２１によって区画される。
【００２０】
嵌合筒部２１は、断面円弧状をなす左右一対の湾曲壁２２を有している。両湾曲壁２２の上下両端間には、内閉部１９から前方へ片持ち状に突出する撓み可能なランス２３が介設されている。この上下で対をなすランス２３は、いずれも同形同大で小型ランス１７よりも一回り大きくされ、先端部に形成された係止突起２４が互いに向き合うように配置される形態になっている。
【００２１】
ハウジング本体１１には、嵌合筒部２１とは内閉部１９を挟んで反対側の位置に筒部２５が配設されている。筒部２５は、内閉部１９から後方に突出する円筒状の形態とされ、ハウジング本体１１の後面よりも後方に突出する部分を有している。端子挿入部１５の後部側は、筒部２５によって区画される。よって、端子挿入部１５は、嵌合筒部２１内から筒部２５内にかけて前後方向に延出し、途中で内閉部１９を貫通する形態となる。端子挿入部１５には、後方から端子金具７０が挿入される。
【００２２】
端子金具７０は導電金属製であって、図１１に示すように、接続部７１と、接続部７１の後方に連設される連結部７２と、連結部７２の後方に連設される圧着部７３とからなり、小型端子９０よりも大きなサイズで構成される。
【００２３】
圧着部７３は、後方に開口するクローズドバレル状をなし、図示しない同軸ケーブルの端末部分に圧着により接続される。接続部７１は、両コネクタハウジングの嵌合時に、図示しない相手側のコネクタハウジングに収容された相手側の端子金具に電気的に接続される。接続部７１は、内外二重の円筒状をなし、外筒部分に複数のスリット７４を有する形態になっている。
【００２４】
連結部７２の外周面（外面）には、前後方向に間隔をあけて一対の鍔部７５が全周にわたって張り出すように設けられ、両鍔部７５間には、円環状の溝部７６が区画される。図３に示すように、端子金具７０が端子挿入部１５に正規深さで挿入されると、溝部７６に対して上下両側からランス２３の係止突起２４が弾性的に進入し、端子金具７０が一次的に抜け止めされるようになっている。
【００２５】
図８及び図１０に示すように、ハウジング本体１１の前後方向中間部には、下面（端子金具７０の挿入方向（前後方向）と交差する方向で対向する一面）及び両側面に開口する形態のリテーナ装着孔２６が設けられている。リテーナ装着孔２６は、各キャビティ１６及び端子挿入部１５に対して前後方向と交差する方向から連通しており、ランス２３及び嵌合筒部２１が横切るように配置される。図８に示すように、下側のランス２３の係止突起２４は、リテーナ装着孔２６を通して側方から視認可能となっている。
【００２６】
ハウジング本体１１の両側面の下部には、上部から一段落ちた凹所２７が設けられている。ハウジング本体１１の凹所２７におけるリテーナ装着孔２６の開口後縁部には、いずれもリブ状の本係止部２８及び仮係止部２９が上下に並んで設けられている。このうち、本係止部２８は、仮係止部２９よりも上方に位置している。
【００２７】
図１０に示すように、ハウジング本体１１の下面の左右中央部には、角凹状の凹陥部３１が設けられている。凹陥部３１は、ハウジング本体１１の下面におけるリテーナ装着孔２６の開口前端部に切欠状に形成され、リテーナ装着孔２６に連通している。凹陥部３１の奥面（内上面）は、下側のランス２３と対応する位置で分断されている。
【００２８】
続いて、リテーナ４０について説明する。リテーナ４０は合成樹脂製であって、図１２〜図１４に示すように、平板状のリテーナ本体４１を有している。リテーナ４０は、リテーナ本体４１の板面を上下方向にほぼ沿わせた状態で、ハウジング本体１１の下面開口（一面開口）からリテーナ装着孔２６に挿入され、ハウジング本体１１に対して浅く挿入される仮係止位置と、ハウジング本体１１に対して仮係止位置よりも深く、正規深さで挿入される本係止位置とに、上下方向に移動可能とされている。仮係止位置では、図１に示すように、リテーナ４０の下面がハウジング本体１１の下面よりも下方に突出する位置に配置され、本係止位置では、図２に示すように、リテーナ本体４１の略全体がリテーナ装着孔２６に挿入されて、リテーナ４０の下面がハウジング本体１１の下面（凹陥部３１を除く）と略面一に連なるか、あるいはリテーナ装着孔２６内に引っ込むように配置される。
【００２９】
図１３及び図１４に示すように、リテーナ本体４１は、左右中央部に後述する支持部４３及び撓み規制部４４を有して端子金具７０に直接又は間接的に作用する第１作用部４５と、第１作用部４５の左右両側に位置して各小型端子９０に作用する一対の第２作用部４６とからなり、全体として左右対称な形態になっている。両第２作用部４６間で且つ第１作用部４５の上方の位置には、下側のランス２３及び嵌合筒部２１を逃がす凹部４７が上方に開口して設けられている。
【００３０】
両第２作用部４６には、本係止位置にて中段及び下段の各キャビティ１６と連通する貫通孔４８が設けられている。各貫通孔４８は、リテーナ本体４１の前後両面に矩形窓状に開口しており、内下面に、抜け止め部４９が突出して設けられている。両第２作用部４６の上端は、本係止位置にて上段の各キャビティ１６に臨むように配置され、上段の各キャビティ１６と対応する位置に、同様の抜け止め部４９が突出して設けられている。リテーナ４０が仮係止位置にあるときには、各抜け止め部４９が対応するキャビティ１６から退避して配置され、リテーナ４０が本係止位置に至るに伴い、各抜け止め部４９が対応するキャビティ１６に進入して端子金具７０に後方から対向し、端子金具７０を二次的に抜け止めするようになっている。
【００３１】
両第２作用部４６の後面下端には、図１４に示すように、左右方向に延出するリブ状の基部５１が張り出して設けられている。また、両第２作用部４６の後面両側端の下部には、上下方向に延出するリブ状の側部５２が張り出して設けられている。側部５２の下端は基部５１に一体に連結されている。側部５２は、基部５１よりも薄肉であって撓み変形可能とされ、内面上部に、爪状の係止部５３が突出して設けられている。リテーナ４０がハウジング本体１１に装着された状態では、側部５２がハウジング本体１１の凹所２７に対面して配置される。
【００３２】
また、リテーナ４０が仮係止位置にあるときには、係止部５３がハウジングの仮係止部２９と本係止部２８との間に位置して、リテーナ４０がハウジングに対して移動規制状態に保持される。リテーナ４０に本係止位置への押し込み力を付与すると、側部５２の撓み動作を伴いながら仮係止部２９が本係止部２８に乗り上げられ、リテーナ４０が本係止位置にて仮係止位置への戻り移動を規制された状態に保持されるようになっている。
【００３３】
図１２及び図１３に示すように、第１作用部４５は、左右中央部に低背の撓み規制部４４を有し、撓み規制部４４の左右両側に高背の支持部４３を有している。第１作用部４５は、前後方向に関して両第２作用部４６とほぼ同一位置に配置され、両第２作用部４６とほぼ同一の前後幅で構成される。
【００３４】
第１作用部４５の下端は、両第２作用部４６の下端よりも一段高い位置に配置されている。第１作用部４５の前面下端から両第２作用の前面下端に至る領域を縁取るようにして門型リブ状の嵌合突部５４が設けられている。リテーナ４０が本係止位置に至るときには、図４に示すように、嵌合突部５４がハウジング本体１１の凹陥部３１に下方から嵌合されて凹陥部３１の奥面（内上面）に当接可能に配置され、もって本係止位置におけるリテーナ４０の装着姿勢が矯正されるようになっている。また、第１作用部４５が嵌合突部５４によって補強されることにより、リテーナ４０が第１作用部４５（両第２作用部４６間）で折損、破損される事態を回避可能となっている。
【００３５】
図１３に示すように、撓み規制部４４の上面は、両支持部４３間にて左右方向に沿って平坦な撓み規制面５５とされている。両支持部４３の立設方向に沿った側辺部分のうち、一方の側辺部分は対応する第２作用部４６に全高にわたって一体化されており、他方の側辺部分は、撓み規制面５５の両側端から上方へ略垂直に切り立つ壁面としての一対のガイド面５６と、ガイド面５６の上端から後述する支持面５９にかけて円弧状に連なる一対の退避面５７とを有している。両ガイド面５６は互いに平行に配置され、両ガイド面５６間の離間幅は、ランス２３の左右寸法よりも少し大きくされている。両ガイド面５６間は、リテーナ４０が仮係止位置にあるときに、下側のランス２３の撓み動作を許容する撓み空間５８となっている。両退避面５７は、嵌合筒部２１とほぼ同一曲率で湾曲する同心円弧状をなし、リテーナ４０が本係止位置にあるときに、対応する湾曲壁２２に沿って配置される。
【００３６】
両支持部４３の上面は、第２作用部４６と退避面５７との間にて左右方向に沿って平坦な一対の支持面５９とされている。上記のとおり、両支持面５９は、両ガイド面５６及び両退避面５７を介して、撓み規制面５５よりも上方に位置している。なお、両支持面５９、両退避面５７、両ガイド面５６及び撓み規制面５５によって凹部４７が区画されている。
【００３７】
以上が本実施例１に係るコネクタの構造であり、続いて、本実施例１の作用効果を説明する。  
組み付けに際し、まずコネクタハウジング１０に対してリテーナ４０が仮係止位置に保持される。仮係止位置では、下側のランス２３がリテーナ４０の撓み空間５８に配置され（図３を参照）、下側のランス２３の両側端が対向するガイド面５６に近接して配置される。また、仮係止位置では、リテーナ４０の撓み規制面５５が下側のランス２３の下面よりも下方に離間して同下面とほぼ平行に対向して配置され、リテーナ４０の支持面５９が端子金具７０の溝部７６の奥面よりも下方に離間して同奥面とほぼ平行に対向して配置される。
【００３８】
上記の状態で、ハウジング本体１１の各キャビティ１６に小型端子９０が挿入されて小型ランス１７により一次的に抜け止め係止される。また、これと前後して、ハウジング本体１１の端子挿入部１５に端子金具７０が挿入される。
【００３９】
端子金具７０が端子挿入部１５に挿入される過程では、端子金具７０の接続部７１が上下一対のランス２３の係止突起２４と干渉し、両ランス２３が撓み変形させられる。このとき、嵌合空間部１８は、上側のランス２３の撓み動作を許容する撓み空間として機能する。また、下側のランス２３は、リテーナ４０の撓み空間５８に撓み変形させられ、両側に位置するガイド面５６によって撓み動作がガイドされる。端子金具７０が端子挿入部１５に正規深さで挿入されると、上下一対のランス２３が弾性的に復帰し、両ランス２３の係止突起２４が端子金具７０の溝部７６に上下両側からほぼ同時に嵌り込む。これにより、図３に示すように、両ランス２３の係止突起２４が前側の鍔部７５に当接可能に配置され、端子金具７０がランス２３に一次的に抜け止め係止される。
【００４０】
続いて、リテーナ４０が本係止位置に押し込まれる。リテーナ４０が本係止位置に至ると、図６に示すように、各抜け止め部４９が対応するキャビティ１６に進入して小型端子９０に後方から当接可能に配置され、小型端子９０が二次的に抜け止め係止される。
【００４１】
また、リテーナ４０が本係止位置に至ると、図４に示すように、リテーナ４０の撓み規制面５５が下側のランス２３の下面に当接可能に配置される。これにより、下側のランス２３の撓み動作が規制され、端子金具７０が二次的に抜け止めされた状態になる。
【００４２】
また、リテーナ４０が本係止位置に至ると、両支持部４３の退避面５７が嵌合筒部２１に沿って配置されるとともに、両支持部４３の上部が端子金具７０の溝部７６に嵌合状態で挿入される。このとき、両支持部４３の上部間には係止突起２４が配置される。また、図５に示すように、両支持部４３の上部は前後夫々の鍔部７５に当接可能に配置される。このため、端子金具７０は三次的に抜け止めされた状態になるとともに、前後方向に位置決めされた状態になる。さらに、両支持部４３の支持面５９が端子金具７０の溝部７６の奥面に当接可能に配置され、端子金具７０がランス２３の位置する側（下側）に倒れ込むのが規制される。その後、コネクタハウジング１０は相手側のコネクタハウジングに嵌合され、端子金具７０は対応する相手側の端子金具に電気的に接続される。
【００４３】
ここで、図１５は、図示しない相手側の端子金具を抜け止めするべく相手側のコネクタハウジングに装着される相手側のリテーナ４０Ａを示す。相手側のリテーナ４０Ａは、第１作用部４５Ａが左右一対の第２作用部４６Ａよりも前方に位置ずれして配設されており、この点でリテーナ４０と異なる。なお、相手側の端子金具は、前方にタブが突出する雄型端子金具である。
【００４４】
両第２作用部４６Ａは、左右方向に沿ったリブ状の基部５１Ａを介して互いに連結されている。両第２作用部４６Ａと第１作用部４５Ａとの間には、繋ぎ部６１が設けられている。繋ぎ部６１は、左右両側で両第２作用部４６Ａと第１作用部４５Ａとを繋ぐとともに、下側で基部５１Ａと第１作用部４５Ａとを繋ぐ断面略角Ｕ字形をなしている。このため、相手側のリテーナ４０Ａの左右中央部には、第１作用部４５Ａと繋ぎ部６１とにより、上方及び後方に開口する角箱状の筐体部分が構成される。
【００４５】
第１作用部４５Ａは、リテーナ４０の第１作用部４５と実質的に同一の構造であり、撓み規制部４４Ａの左右両側に一対の支持部４３Ａを有し、両支持部４３Ａ及び撓み規制部４４Ａが前後方向に関してほぼ同一位置に配置される。そして、撓み規制部４４Ａは、上面に撓み規制面５５Ａを有し、両支持部４３Ａは、ガイド面５６Ａ、退避面５７Ａ及び支持面５９Ａを有している。
【００４６】
上記のような構造の相手側のリテーナ４０Ａによれば、係止位置と支持位置とが前後方向に位置ずれしていても対応することができる。また、相手側のリテーナ４０Ａは、左右方向中央部に、第１作用部４５Ａと繋ぎ部６１とからなる筐体部分を有しているため、第１作用部４５Ａにおいて折損、破損される事態をより確実に回避することができる。
【００４７】
＜他の実施例＞
以下、他の実施例を簡単に説明する。  
（１）リテーナは、コネクタハウジングに対して仮係止位置に保持されず、一段階で本係止位置に至ってコネクタハウジングに保持される構成であってもよい。  
（２）端子金具が複数設けられ、各端子金具がコネクタハウジングに設けられた複数の端子挿入部に挿入される構成であってもよい。  
（３）端子金具には溝部が設けられず、支持部の支持面が端子金具に支持可能に配置されるだけでもよい。  
（４）端子金具は同軸ケーブルではなく通常電線（非シールド電線）に接続されるものであってもよい。  
（５）リテーナは、端子金具のみを抜け止めし、小型端子を抜け止めする構造を有さない非ハイブリッド型であってもよい。  
（６）リテーナ装着孔は、リテーナの挿入口となるハウジング本体の一面のみに開口し、ハウジング本体の両側面には開口しない形態であってもよい。
【符号の説明】
【００４８】
１０…コネクタハウジング
１１…ハウジング本体
１５…端子挿入部
１６…キャビティ
２６…リテーナ装着孔
４０…リテーナ
４０Ａ…相手側のリテーナ
４３、４３Ａ…支持部
４４、４４Ａ…撓み規制部
５６、５６Ａ…ガイド面
５８…撓み空間
５９、５９Ａ…支持面
７０…端子金具
７６…溝部
９０…小型端子
【図１】
2018120687.tif 000003
【図２】
2018120687.tif 000004
【図３】
2018120687.tif 000005
【図４】
2018120687.tif 000006
【図５】
2018120687.tif 000007
【図６】
2018120687.tif 000008
【図７】
2018120687.tif 000009
【図８】
2018120687.tif 000010
【図９】
2018120687.tif 000011
【図１０】
2018120687.tif 000012
【図１１】
2018120687.tif 000013
【図１２】
2018120687.tif 000014
【図１３】
2018120687.tif 000015
【図１４】
2018120687.tif 000016
【図１５】
2018120687.tif 000017